(57)【要約】      （修正有）【課題】外部からの塵埃や水分の軸受内への進入を防止することによりファンの運転機能を確実にし、使用寿命を延ばす効果を達成する非接触式防塵構造を備える放熱ファンを提供する。【解決手段】固定子と回転子とを備え、固定子の回転軸の軸孔内に軸受を固着し、回転子の軸心を前記軸受内に挿設し、前記回転子の軸心の根部には更に軸心座を配置し、前記軸心座は回転軸の軸孔内に延伸嵌設し、軸心座の外壁面と軸孔の内壁面の間は微小な隙間を備え、軸心座の外壁面上には外部エアが軸受孔中に流れるのを阻止するためのエア案内溝を設け、前記エア案内溝は螺旋溝又はＶ字型溝とする。【選択図】図１
0003164720.tif 000002
【実用新案登録請求の範囲】
【請求項１】
固定子と回転子とを備える、非接触式防塵構造を備える放熱ファンであって、
前記固定子の回転軸の軸孔内には軸受を固着し、前記回転子の軸心を前記軸受内に挿設し、前記回転子の軸心の根部には更に軸心座を配置し、前記軸心座は回転軸の軸孔内に延伸嵌設し、軸心座の外壁面と軸孔の内壁面の間には微小な隙間を設け、軸心座の外壁面上には軸孔中の空気を外側に抜き取るためのエア案内溝を設けることを特徴とする、非接触式防塵構造を備える放熱ファン。
【考案の詳細な説明】
【技術分野】
【０００１】
本考案は放熱ファン分野の技術に係り、特に非接触式防塵構造を備える放熱ファンに関する。
【背景技術】
【０００２】
放熱ファンは例えばパソコン内の中央処理器（ＣＰＵ）、ビデオカード及び電源等の各種電子デバイス或いは部品の放熱問題を解決するために広く応用されている。公知のファン構造は主に固定子と回転子を備え、固定子基座の回転軸の軸孔中に油軸受を設け、固定子の電磁コイルとシリコン鋼板を回転軸の外に固定し、回転子中の軸心を油軸受中に挿設し、回転子上のリング状永久磁石を電磁コイルの外側に嵌設する。ファンが起動すると、前記電磁コイルとリング磁石の磁場作用によって動かされる回転子が回転軸の周囲を回って回転を起こし、回転子の回転はその上のプロペラを利用して気流を生じさせるため、それによって電子部品が発生する熱エネルギーを吹き動かして放熱温度降下効果を達成する。
【０００３】
前述の公知のファン構造は放熱基本機能を備えたものであるが、実際に使用してみるとそれ自体の構造と使用上の機能にはやはり多くの短所が存在し、最良の使用効果と作業機能を発揮していないことがわかり、改善が待たれる点も多い。特に、前記回転子のハブと固定子の基座との間、回転軸上の上部エッジと回転子のハブ底面との間の構造には何れも隙間が保たれているため、外部の塵埃がファン内部に入り易く、ファンを長期間使用すると塵埃や水分がファン内部に積み重なり続け、ファンの運転機能や使用寿命に深刻な影響を及ぼし、特に塵埃や水分が油軸受に入ったならファンの運転が順調でなくなり甚だしくは引っ掛かり等の深刻な問題を引き起こすことになる。
【考案の概要】
【考案が解決しようとする課題】
【０００４】
前述の問題点に鑑み、本考案は公知技術に存在するファンの防塵問題を解決し公知技術の不足点を克服することにより、非接触式防塵構造を備える放熱ファンを提供することを主な目的としている。
【課題を解決するための手段】
【０００５】
上述目的を達成するための本考案が採用する技術手段は次の通りである。
【０００６】
非接触式防塵構造を備える放熱ファンは固定子と回転子を備え、固定子の回転軸の軸孔内に軸受を固着し、回転子内の軸心を軸受内に挿設し、前記回転子の軸心の根部には更に軸心座を配置し、前記軸心座は回転軸の軸孔内に延伸嵌設し、並びに軸心座の外壁面と軸孔の内壁面の間にはただ微小な隙間を備えるだけとし、軸心座の外壁面上には軸孔中の空気を外側に抜き取るための若干のエア案内溝を設ける。
【０００７】
良好な実施例として前記エア案内溝を螺旋溝とする。
【０００８】
良好な実施例として前記エア案内溝をＶ字型溝とし、前記Ｖ字型溝は、軸受内の空気を内側に圧する第一溝と外部空気を外側に振り払う第二溝とを備え、前記第一溝と第二溝は軸心座の外壁面上に斜め方向に延伸し、並びにその延伸する末端は互いに交差して繋がる。
【０００９】
本考案と公知技術を比較すると顕著な長所と効果が見られる。具体的には前述した技術手段からもわかるように、本考案は主に、軸心を通過する根部に軸心座を配置し、前記軸心座の外壁面上に設けたエア案内溝は回転子の高速回転に伴いエア抜き取り効果を生じさせ、これによって接触せずにエアを抜き取り塵埃を防止する保護構造を実現し、前記のエアを抜き取り塵埃を防止する保護構造によって外部からの塵埃や水分の軸受内への進入を阻止し、軸受の動きに影響を与えるのを避け、最終的に放熱ファンの運転機能を確実にしてその使用寿命を延長する効果を達成する。
【考案の効果】
【００１０】
本考案はエアを抜き取り塵埃を防止する保護構造によって外部からの塵埃や水分の軸受内への進入を阻止し、軸受の動きに影響を与えるのを避け、最終的に放熱ファンの運転機能を確実にしてその使用寿命を延長する効果を達成する。
【図面の簡単な説明】
【００１１】
【図１】本考案の実施例に関する組立断面図である。
【図２】本考案の実施例中の軸心と螺旋溝を備える軸心座に関する立体拡大図である。
【図３】本考案の実施例中の軸心とＶ字型溝を備える軸心座に関する立体拡大図である。
【考案を実施するための形態】
【００１２】
以下に図面を参照しながら本考案を実施するための最良の形態について詳細に説明する。
【００１３】
図１に示した本考案の良好な実施例の組立断面図において、ファンは固定子１０と回転子２０とを備え、前記固定子１０の回転軸１１の軸孔１２内には軸受１３を固着し、回転子２０の軸心２１は前記軸受１３内に挿設する。
【００１４】
特に前記回転子２０の軸心２１の根部には更に軸心座２２を配置し、前記軸心座２２は回転軸１１の軸孔１２内に延伸嵌設し、並びに軸心座２２の外壁面と軸孔１２の内壁面の間には微小な隙間を備えるだけとし、軸心座２２の外壁面上には軸受１３内の空気を外方向に抜き取るための若干のエア案内溝２３を設ける。
【００１５】
図２に示した前記エア案内溝２３は螺旋溝を採用し、回転子２０が高速回転する時、前記螺旋溝が回転軸１１の軸孔１２中にある空気を外方向に抜き取るため、軸孔１２内は負圧状態となり、その負圧によって外部からの塵埃や水分が軸孔１２中の軸受１３内に進入するのを阻止する作用が働く。
【００１６】
図３に示した前記エア案内溝２３はＶ字型溝を採用した構造であり、具体的には前記Ｖ字型溝は第一溝２３１と第二溝２３２とを備え、前記第一溝２３１と第二溝２３２は軸心座２２の外壁面上に斜め法王に延伸し、その延伸する末端は相互に交差して繋がる。前記第一溝２３１は軸孔１２中のエアを内側方向に圧し、前記第二溝２３２は外部エアを外方向に振り払うため、第一溝２３１と第二溝２３２の交差箇所には環状低圧エアが形成され、前記の環状低圧エアによって外部エアや水分が軸孔１２中の軸受１３内に進入するのを阻止する。
【００１７】
本考案の設計のポイントは主に、軸心を通過する根部に軸心座を配置し、前記軸心座の外壁面上にエア案内溝を配置し、前記エア案内溝は回転子の高速回転に伴いエア抜き取り効果を生じさせ、これにより接触せずにエアを抜き取る防塵保護構造を形成し、前記のエア抜き取り防塵保護構造を用いて外部からの塵埃や水分が軸受中に進入するのを阻止し、軸受の運転に影響を与えるのを防ぎ、最終的に放熱ファンの運動性能を確実にして使用寿命を延長する効果を達成することにある。
【００１８】
前述したものは本考案の良好な実施例を挙げただけであり、本考案の技術範囲に何れの制限を加えるものではない。よって、本考案の本質的技術に基づいて実施例に施された如何なる微細な修正、同等変化及び修飾は全て本実用新案の技術範囲に含まれるものとする。
【符号の説明】
【００１９】
１０       固定子
１１       回転軸
１２       軸孔
１３       軸受
２０       回転子
２１       軸心
２２       軸心座
２３       エア案内溝
２３１     第一溝
２３２     第二溝
【図１】
0003164720.tif 000003
【図２】
0003164720.tif 000004
【図３】
0003164720.tif 000005